(57)【要約】【課題】無線通信によって操縦をおこなう模型飛行機の車輪装置において、着陸動作時の衝撃を緩和し、車輪装置や模型飛行機本体の破損を防ぐ。【解決手段】車輪装置本体２ａを間接取付部材５に装着し、車輪装置２を模型飛行機本体１ａに装着する。模型飛行機本体１ａに設けられた凹部７によって、間接取付部材５の一方の片５ａと模型飛行機本体１ａは直接接触していない構成となる。間接取付部材５はアングルの形状をしており、衝撃を受けたときに撓んで衝撃を緩和する。これによって、補強部材を必要としない簡易な構成で車輪装置２や模型飛行機本体１ａの破損を防ぐことができる。【選択図】図１
2014223159.tif 000002
【特許請求の範囲】
【請求項１】
模型飛行機本体と車輪装置を備えた模型飛行機において、
前記車輪装置は車輪と支持体からなる車輪装置本体と、前記車輪装置本体と前記模型飛行機本体を接続する間接取付部材とを備え、
前記模型飛行機本体は下面の機体表面に凹部を有しており、
前記間接取付部材は板状部材を折り曲げた略Ｌ字形状を有し、一方の片は前記凹部に対向し、前記車輪装置本体が取り付けられ、他方の片は前記模型飛行機本体の下面に対して垂直になるように前記模型飛行機本体に固定されていることを特徴とする模型飛行機。
【請求項２】
模型飛行機本体と車輪装置を備えた模型飛行機において、
前記車輪装置は車輪と支持体からなる車輪装置本体と、前記車輪装置本体と前記模型飛行機本体を接続する間接取付部材とを備え、
前記間接取付部材は板状部材を折り曲げた略Ｌ字形状を有し、一方の片の内側の面は前記模型飛行機の下面の機体表面と所定の間隔をあけて対向し、前記車輪装置本体が取り付けられ、他方の片は前記模型飛行機の下面に対して垂直になるように前記模型飛行機本体に固定されていることを特徴とする模型飛行機。
【請求項３】
前記支持体は平板からなり、
前記支持体の一方の面が前記模型飛行機の側面方向を向くように取り付けられていることを特徴とする請求項１または２いずれかひとつに記載の模型飛行機。
【請求項４】
模型飛行機本体に取り付けられる車輪装置において、
前記車輪装置は車輪と支持体からなる車輪装置本体と、前記車輪装置本体と前記模型飛行機本体を接続するための間接取付部材とを備え、
前記間接取付部材は板状部材を折り曲げた略Ｌ字形状を有し、一方の片には前記車輪装置本体が取り付けられ、他方の片には前記模型飛行機本体に取り付けるための取付部が設けられていることを特徴とする車輪装置。
【請求項５】
前記支持体は平板からなり、
前記支持体の一方の面が前記一方の片と前記他方の片からそれぞれ垂直になるように、前記支持体が前記一方の片の外側の面に取り付けられていることを特徴とする請求項４に記載の車輪装置。
【請求項６】
模型飛行機本体に取り付けられた車輪装置において、
前記車輪装置は車輪と支持体からなる車輪装置本体と、前記車輪装置本体と前記模型飛行機を接続するための間接取付部材とを備え、
前記間接取付部材は板状部材を折り曲げた略Ｌ字形状を有し、一方の片には前記支持体が一体に成形されており、他方の片には前記模型飛行機本体に取り付けるための取付部が設けられていることを特徴とする車輪装置。
【発明の詳細な説明】
【技術分野】
【０００１】
本発明は、無線通信で操縦をおこなう模型飛行機の模型飛行機本体に装着される車輪装置およびこの車輪装置を備えた模型飛行機に関するものである。
【背景技術】
【０００２】
無線通信で操縦をおこなう模型飛行機、模型グライダー、模型ヘリコプターなどの模型飛行体（以下、単に模型飛行機という）は離着陸に使用するための車輪装置を備えているものがある。車輪装置には車輪が回動可能に取り付けられている。
この車輪装置は模型飛行機本体の胴体部分や翼部分の下面に装着されており、模型飛行機の種類に応じて車輪装置が折りたたまれて飛行中は格納されるものと、飛行中も車輪装置が格納されないものがある。
【０００３】
車輪装置を飛行中格納しない構成は、胴体部分や翼部分に車輪装置を格納するためのスペースや車輪装置を折りたたむための構成を設ける必要が無いため、多くの模型飛行機で採用されている。
特許文献１には模型用飛行機の主翼の内部に設けた矩形板に車輪装置の支柱を連結する構成が開示されている。
【０００４】
また、特許文献２には従来からの例として図３に示すように模型飛行機１１において、模型飛行機本体の胴体部分にコイル状部を有する車輪装置１２を装着する構成が記載されている。さらに特許文献２では、フレームやアーム、捩りばね等を組み合わせて使用した衝撃吸収機構を有する車輪装置の技術が開示されている。
【先行技術文献】
【特許文献】
【０００５】
【特許文献１】実公昭２８−３５１７号
【特許文献２】実登３０３０９５５号
【発明の概要】
【発明が解決しようとする課題】
【０００６】
模型飛行機は着陸時に車輪装置に衝撃が加わるため、衝撃によって車輪装置そのものや車輪装置が装着されている模型飛行機本体の胴体部分や翼部分を破損してしまうことがあった。特に模型飛行機の着陸地点が平坦でない場合や、着陸動作が粗くなってしまう場合にこのような問題が顕著であった。
【０００７】
このような問題に対して、特許文献１に記載されている構成では車輪装置にかかる衝撃を十分に軽減することができなかった。
また、特許文献２に記載されている構成は、衝撃を吸収することはできたが、複雑な構成の車輪装置を使用する必要があった。
【０００８】
本発明はこのような問題を解決して簡易な構成で模型飛行機が着陸するときに車輪装置にかかる衝撃を緩和することを目的とする。
【課題を解決するための手段】
【０００９】
請求項１記載の模型飛行機は、模型飛行機本体と車輪装置を備えた模型飛行機において、車輪装置は車輪と支持体からなる車輪装置本体と、車輪装置本体と模型飛行機本体を接続する間接取付部材とを備え、模型飛行機本体は下面の機体表面に凹部を有しており、間接取付部材は板状部材を折り曲げた略Ｌ字形状を有し、一方の片は前記凹部に対向し、車輪装置本体が取り付けられ、他方の片は模型飛行機本体の下面に対して垂直になるように模型飛行機本体に固定されていることを特徴とする。
【００１０】
請求項２記載の模型飛行機は、模型飛行機本体と車輪装置を備えた模型飛行機において、車輪装置は車輪と支持体からなる車輪装置本体と、車輪装置本体と模型飛行機本体を接続する間接取付部材とを備え、間接取付部材は板状部材を折り曲げた略Ｌ字形状を有し、一方の片の内側の面は模型飛行機の下面の機体表面と所定の間隔をあけて対向し、車輪装置本体が取り付けられ、他方の片は模型飛行機の下面に対して垂直になるように模型飛行機本体に固定されていることを特徴とする。
【００１１】
請求項３記載の模型飛行機は、請求項１または２いずれかひとつに記載の模型飛行機であって、支持体は平板からなり、支持体の一方の面が模型飛行機の側面方向を向くように取り付けられていることを特徴とする。
【００１２】
請求項４記載の車輪装置は、模型飛行機本体に取り付けられる車輪装置において、車輪装置は車輪と支持体からなる車輪装置本体と、車輪装置本体と模型飛行機本体を接続するための間接取付部材とを備え、間接取付部材は板状部材を折り曲げた略Ｌ字形状を有し、一方の片には車輪装置本体が取り付けられ、他方の片には模型飛行機本体に取り付けるための取付部が設けられていることを特徴とする。
【００１３】
請求項５記載の車輪装置は、請求項４記載の車輪装置であって、支持体は平板からなり、支持体の一方の面が、間接取付部材の一方の片と他方の片からそれぞれ垂直になるように、支持体が一方の片の外側の面に取り付けられていることを特徴とする。
【００１４】
請求項６記載の車輪装置は、模型飛行機本体に取り付けられた車輪装置において、車輪装置は車輪と支持体からなる車輪装置本体と、車輪装置本体と模型飛行機を接続するための間接取付部材とを備え、間接取付部材は板状部材を折り曲げた略Ｌ字形状を有し、一方の片には支持体が一体に成形されており、他方の片には模型飛行機本体に取り付けるための取付部が設けられていることを特徴とする。
【発明の効果】
【００１５】
本発明は間接取付部材を介して模型飛行機本体に車輪装置本体が装着されているので、着陸時に車輪装置にかかる衝撃を間接取付部材が撓んで吸収することができる。
【図面の簡単な説明】
【００１６】
【図１】模型飛行機の車輪装置周辺を示した断面図
【図２】車輪装置本体と間接取付部材の一部を示した図
【図３】従来の模型飛行機の車輪装置を示した図
【発明を実施するための形態】
【００１７】
以下、図面を引用して発明を実施するための実施形態を説明する。
図１は本発明の模型飛行機１の車輪装置２の周辺を模式的に示した断面図である。
車輪装置２は車輪装置本体２ａと間接取付部材５を備えている。また、車輪装置本体２ａは支持体３と車輪４を備えている。
車輪装置本体２ａは間接取付部材５を介して模型飛行機本体１ａに装着されている。図２は間接取付部材５に車輪装置本体２ａの支持体３を装着している部分を拡大した図面である。
【００１８】
車輪装置２は離陸までの間に地上を走行するためと、着陸時に地上を走行するために使用する。支持体３は一端が間接取付部材５に固定され、他端に車輪４が回動可能に取り付けられている。
【００１９】
図１の例では車輪装置本体２ａは間接取付部材５を介して模型飛行機本体１ａの胴体前部の下面に装着されている。車輪装置２は模型飛行機本体１ａの主翼の下面に装着されるような構成となっていてもよい。
【００２０】
間接取付部材５は板状の部材を折り曲げた形状を有している。具体的にはアルミニウムなどの金属板を略Ｌ字状になるように折り曲げた部材を使用している。折り曲げられた部分の角度は何度でもよいが、特に角度が９０度となっているアングルといわれる部材がよく使用される。
【００２１】
間接取付部材５の２つの板部分をそれぞれ一方の片５ａ、他方の片５ｂとする。そして、一方の片５ａと他方の片５ｂが向き合っている面を間接取付部材５の内側の面、内側の面の反対側の面を外側の面とする。
【００２２】
間接取付部材５の一方の片５ａの長さは模型飛行機本体１ａの下面の機体表面に設けられた凹部７の機体前後方向の長さよりも短い。また、間接取付部材５の幅は凹部７の機体の幅方向の長さよりも短い。
凹部７の機体表面に表れる面積に対して、関節取り付け部材５の一方の片５ａの面積の方が小さい。
【００２３】
一方の片５ａは凹部７に対向している。一方の片５ａの外側の面には支持体３がボルトとナットを用いて固定されている。
また、他方の片５ｂは模型飛行機本体１ａに取り付けるための取付部８として孔などが設けられており、木ねじを用いて模型飛行機本体１ａの枠体６に固定されている。他方の片５ｂが取り付けられる枠体６は模型飛行機の前後方向に対して垂直となるように設けられている。
【００２４】
一方の片５ａに支持体３を固定するための支持体固定手段には接着剤など他の手段を用いてもよい。また、他方の片５ｂと模型飛行機本体１ａを固定するための関節取付部材固定手段にはボルトとナットなど他の手段を用いてもよい。
【００２５】
間接取付部材５は、金属を使用しているために弾性を有し、撓むことができる。このため、間接取付部材５は模型飛行機１の着陸時など車輪装置本体２が図２に示した矢印Ａ方向からの衝撃を受けたときに撓んで、衝撃を緩和する緩衝の効果を得ることができる。
さらに、車輪装置２が衝撃を受けたときに一方の片５ａは凹部７の内部に入り込む形となる。凹部７があるので、模型飛行機本体１ａと一方の片５ａが接触して模型飛行機１および車輪装置２が破損してしまうことを防ぐことができる。
【００２６】
支持体３は板状や棒状など、どのような形状であってもよいが、特に板状の部材からなることが望ましい。図２のように支持体３が平板からなるとき、一方の面が模型飛行機１の側面方向を向くように間接取付部材５に固定することが望ましい。
【００２７】
支持体３が弾性を有する平板であるとき、間接取付部材５への固定をボルトとナットなどを用いて容易におこなうことができる。さらに、模型飛行機１の着陸時の上下方向の衝撃を支持体３が撓むことで吸収する効果が得られる。
【００２８】
以上のように本実施形態では、間接取付部材５によって衝撃を吸収することで車輪装置２や模型飛行機本体１ａにかかる負荷を低減して破損を防ぐことができる。
また、本実施形態は簡易な構成で衝撃を吸収することができることから、車輪装置が複雑な構造を有さなくてもよい。また、補強部材として多数の部材を使用しなくてよいことから模型飛行機の軽量化についても効果を得ることができる。
【００２９】
本実施形態以外の他の実施形態として以下のような構成の実施形態も考えられる。
本実施形態では一つの間接取付部材に車輪装置本体を二つ装着する構成として説明をおこなったが、一つの間接取付部材に車輪装置本体を一つ装着する構成でもよい。また、模型飛行機本体に装着される車輪装置本体が一つまたは三つ以上となるような構成であってもよい。
【００３０】
また、本実施形態では模型飛行機に凹部があるものとして説明をおこなったが、本発明の車輪装置を用いれば模型飛行機に凹部がない場合でも同じ効果を実現することができる。
模型飛行機に凹部がない場合は模型飛行機本体の下面と間接取付部材の一方の片の内側の面を対向させて、間接取付部材が撓んでも模型飛行機本体と一方の片が接触しない間隔をあけて間接取付部材を模型飛行機に固定すればよい。
【００３１】
また、本実施形態では車輪装置本体の支持体が間接取付部材とは別部材であり、支持体固定手段によって固定されている構成としたが、プレス加工技術等によって一枚の金属板から間接取付部材と支持体を形成し、同一部材となるような構成としてもよい。
【００３２】
さらに、本実施形態では一体となっている板状部材からなる間接取付部材を、２つの板上部材を接合したものとしてもよい。
【符号の説明】
【００３３】
１…模型飛行機
１ａ…模型飛行機本体
２…車輪装置
３…支持体
２ａ…車輪装置本体
５…間接取付部材
６…枠体
７…凹部
【図１】
2014223159.tif 000003
【図２】
2014223159.tif 000004
【図３】
2014223159.tif 000005